(57)【要約】【課題】本発明は単一の防水部材のみの簡略構造を採用しつつもヒンジ部分のガタによる影響を回避でき、完璧な水密構造を実現する防水カメラハウジングを提供する。【解決手段】本発明は、ハウジング本体２と裏蓋体３との一方の側縁部同士をヒンジ４で結合し、他方の側縁部に前記ハウジング本体、裏蓋体間を施錠又は解放する錠機構部５を設け、ハウジング本体、裏蓋体の各開口内側周辺部全体をＯリング６を介して密着接合する防水カメラハウジング１であって、錠機構部５に裏蓋体３をハウジング本体２に対して定位置で位置決め結合する位置決め突片２３ａ、２３ｂ及びこれらが密着嵌合する位置決め受部４３ａ、４３ｂからなる位置決め機構を設けたものである。。【選択図】図１
2010008720.tif 000002
【特許請求の範囲】
【請求項１】
ハウジング本体と裏蓋体との一方の側縁部同士をヒンジ結合で開閉可能に連結し、ハウジング本体と裏蓋体との他方の側縁部に前記ハウジング本体、裏蓋体間を施錠又は解放する錠機構部を設け、前記ハウジング本体、裏蓋体の各開口内側周辺部全体を防水部材を介して密着接合して内部にカメラを水密状態で収容する収容空間を形成する防水カメラハウジングであって、
前記錠機構部に、前記裏蓋体を前記ハウジング本体に対して定位置で位置決め結合する位置決め突片及びこの位置決め突片が密着嵌合する位置決め受部からなる位置決め機構を設けたことを特徴とする防水カメラハウジング。
【請求項２】
ハウジング本体と裏蓋体との一方の側縁部同士をヒンジ結合で開閉可能に連結し、前記裏蓋体の他方の側縁部に設けた係合体及び開閉ロックレバーと、前記ハウジング本体の他方の側縁部に設けた前記係合体が当接する係合受体とからなり開閉ロックレバーによりロック又はロック解除される錠機構部により前記ハウジング本体、裏蓋体の他方の側縁部間を封止し、前記ハウジング本体、裏蓋体の各開口内側周辺部全体を防水部材を介して密着接合して内部にカメラを水密状態で収容する収容空間を形成する防水カメラハウジングであって、
前記係合体に係合受体側に突出する位置決め突片を、前記係合受体に前記位置決め突片が密着嵌合する位置決め受部を設け、前記裏蓋体を前記ハウジング本体に対して定位置で位置決め結合するようにしたことを特徴とする防水カメラハウジング。
【発明の詳細な説明】
【技術分野】
【０００１】
本発明は、防水カメラハウジングに関し、詳しくは内部に収容するカメラについての水密機能を向上させた防水カメラハウジングに関するするものである。
【背景技術】
【０００２】
従来から知られている防水カメラハウジングは、ハウジング本体と、蓋部とをヒンジ結合により開閉可能に連結するとともに、蓋部の開口内側に防水シール部材を開口部の略１周にわたって配設してハウジング本体と密着させ、ハウジング本体内への浸水を防止するように構成することが一般的である。
【０００３】
しかし、ヒンジ部分の機構的制約から微小なガタの発生を避けることは難しく、このため、ヒンジ部分と反対側のハウジング本体の側縁部において蓋部が位置ずれし、ハウジング本体、蓋部の各開口内側に巡らせた防水シール部材がこの開口内側部分に密着しない箇所が発生し、水密構造が阻害され水漏れを招くという不都合を将来していた。
【０００４】
特許文献１には、筺体と蓋体との間を二つのＯリングを用いて二重に封止するとともに、漏水センサをも組み込んだ防水ハウジングが提案されている。
【０００５】
この特許文献１の場合、Ｏリングによる二重の封止構造及び漏水センサの設置という複雑な構造となっていた。
【０００６】
特許文献２には、開口部を有するハウジングと、前記開口部を施蓋する蓋部とを備え、開口部の部分に少なくとも２つの防水部材を配置し、２つの防水部材の間に浸水検出手段を設けた構成の防水ハウジングが提案されている。
【０００７】
この特許文献２の場合も、２つの防水部材、浸水検出手段を有する複雑な構造となっていた。
【特許文献１】特開平９−２６９５３４号公報
【特許文献２】特開２００６−１１９３７２号公報
【発明の開示】
【発明が解決しようとする課題】
【０００８】
本発明が解決しようとする問題点は、単一の防水部材のみの簡略構造を採用しつつもヒンジ部分のガタによる影響を回避でき、完璧な水密構造とすることができる防水カメラハウジングが存在しない点である。
【課題を解決するための手段】
【０００９】
本発明は、ハウジング本体と裏蓋体との一方の側縁部同士をヒンジ結合で開閉可能に連結し、ハウジング本体と裏蓋体との他方の側縁部に前記ハウジング本体、裏蓋体間を施錠又は解放する錠機構部を設け、前記ハウジング本体、裏蓋体の各開口内側周辺部全体を防水部材を介して密着接合して内部にカメラを水密状態で収容する収容空間を形成する防水カメラハウジングであって、前記錠機構部に、前記裏蓋体を前記ハウジング本体に対して定位置で位置決め結合する位置決め突片及びこの位置決め突片が密着嵌合する位置決め受部からなる位置決め機構を設けたことを最も主要な特徴とする。
【発明の効果】
【００１０】
本発明によれば、錠機構部として、裏蓋体をハウジング本体に対して定位置で位置決め結合する位置決め突片及びこの位置決め突片が密着嵌合する位置決め受部からなる位置決め機構を設けたことにより、裏蓋体をハウジング本体に対して定位置に位置決めすることができ、ヒンジの部分のガタによる影響を回避しつつ、完璧な水密構造を現出する防水カメラハウジングを提供することができる。
【発明を実施するための最良の形態】
【００１１】
本発明は、単一の防水部材のみの簡略構造を採用しつつもヒンジ部分のガタによる影響を回避でき、完璧な水密構造とすることができる防水カメラハウジングを提供するという目的を有する。
【００１２】
本発明は、ハウジング本体と裏蓋体との一方の側縁部同士をヒンジ結合で開閉可能に連結し、前記裏蓋体の他方の側縁部に設けた係合体及び開閉ロックレバーと、前記ハウジング本体の他方の側縁部に設けた前記係合体が当接する係合受体とからなり開閉ロックレバーによりロック又はロック解除される錠機構部により前記ハウジング本体、裏蓋体の他方の側縁部間を封止し、前記ハウジング本体、裏蓋体の各開口内側周辺部全体を防水部材を介して密着接合して内部にカメラを水密状態で収容する収容空間を形成する防水カメラハウジングであって、前記係合体に係合受体側に突出する位置決め突片を、前記係合受体に前記位置決め突片が密着嵌合する位置決め受部を設け、前記裏蓋体を前記ハウジング本体に対して定位置で位置決め結合する構成により上記目的を実現した。
【実施例】
【００１３】
以下に、本発明の実施例に係る防水カメラハウジングについて図この１乃至図４を参照して詳細に説明する。
【００１４】
本実施例に係る防水カメラハウジング１は、図１に展開状態（背面側）で、かつ、概略的に示すように、例えば合成樹脂材を主要要素とする略箱型状のハウジング本体２と、ハウジング本体２の開口部分を施蓋するハウジング本体２の形状に対応させた形状の裏蓋体３とを有している。
【００１５】
前記ハウジング本体２、裏蓋体３の一方の側縁部同士は、ヒンジ４を用いて開閉可能に連結し、裏蓋体３をハウジング本体２側に被せることで、これらの内部に図示しないが例えばデジタルカメラ、ビデオカメラ等のカメラを水密状態で収容する収容空間を形成するように構成している。
【００１６】
本実施例に係る防水カメラハウジング１は、相互に重なり合う前記ハウジング本体２、裏蓋体３の他方の側縁部間をロックし又はロック解除する錠機構部５を設けている。
【００１７】
すなわち、前記裏蓋体３の他方の側縁部には、図１及び図２に示すように、錠機構部５を構成する係合体２１及び公知の構造からなる開閉ロックレバー３１を設け、また、前記ハウジング本体２の他方の側縁部には、図１及び図３に示すように、前記係合体２１が当接する錠機構部５を構成する係合受体４１を設けている。
【００１８】
前記裏蓋体３の開口内側周辺部には、全周にわたって防水部材であるＯリング６を略四角形状を呈する状態に巡らせ、固定配置している。
また、前記ハウジング本体２の開口内側周辺部には、前記Ｏリング６の形状に対応させた形状のＯリング受段部７を全周にわたって設けている。
【００１９】
前記防水カメラハウジング１におけるハウジング本体２には、その上端に位置してアクセサリーシュー８、光ファイバー接続口９が設けられ、また、前記ハウジング本体２には、防水処理されたハウジング鏡筒部１０が設けられている。
【００２０】
この他、前記ハウジング本体２には、図示しないが公知のようにシャッターレバー、ディフューザレバー、その等の種々の要素が設けられているが、ここではその説明を省略する。
【００２１】
前記前記防水カメラハウジング１における裏蓋体３には、内部に収容するカメラの液晶モニタを視認するための透明材料からなり防水処理された画像モニタ窓１１が設けられ、さらに、図示しないが公知の種々の要素が設けられている。
【００２２】
次に、前記錠機構部５を構成する係合体２１、開閉ロックレバー３１及び係合受体４１について、図２、図３をも参照して詳述する。
【００２３】
前記係合体２１は、図２に拡大して示すように、前記裏蓋体３の他方の側縁部に設けた上下分割配置で間に空間部２４を有し、かつ、上下対象配置に形成した柱状の上側支持部２１ａ、下側支持部２１ｂと、この上側支持部２１ａ、下側支持部２１ｂに対して上下配置に前記空間部２４を貫いて嵌装した軸体２２と、前記上側支持部２１ａ、下側支持部２１ｂにおける前記ハウジング本体２に対向する面側（係合受体４１側に対向する面側）に各々上下方向に突設した位置決め機構を構成する一対の小幅の位置決め突片２３ａ、２３ｂとを有している。
【００２４】
前記開閉ロックレバー３１は、前記上側支持部２１ａ、下側支持部２１ｂの間の空間部に露出する軸体２２に基部３２を嵌装するとともに、この基部３２と一体の略薄形直方体状の開閉ロック体３３及び前記上側支持部２１ａ、下側支持部２１ｂの間の空間部２４側に突出するロック体突片３４を具備し、前記軸体２２を支軸として水平方向に回動可能に構成している。
【００２５】
また、前記開閉ロック体３３には、上下配置にカメラマンが二本の指で操作する上下一対構成のロック部３５と、端部ロック突片３３ａを設けている。
【００２６】
前記ロック部３５は、前記開閉ロック体３３に上下配置に各々移動可能に、かつ、前記ハウジング本体２側に突出する状態で組み込んだ上側ロック片３６ａ、下側ロック片３６ｂを図示しないが開閉ロック体３３内に配置したバネにより常時離間する方向（上方向、下方向）に付勢するように構成している。
【００２７】
さらに、前記開閉ロック体３３の上辺、下辺から各々突出する上側ロック片３６ａと一体の上側操作片３６ｃ、下側ロック片３６ｂと一体の下側操作片３６ｄをカメラマンが二本の指で操作することにより、上側ロック片３６ａ、下側ロック片３６ｂ間の間隔を調整し得るように構成している。
【００２８】
次に、前記係合受体４１について、図３、図４をも参照して説明する。
【００２９】
前記係合受体４１は、ハウジング本体２の他方の側縁部において前記係合体２１、開閉ロックレバー３１と対向する配置に設けられている。
【００３０】
すなわち、前記係合受体４１は、ハウジング本体２の他方の側縁部に設けた前記上側支持部２１ａ、下側支持部２１ｂの間の空間部２４に没入可能な略直方体状の端面受部４２と、この端面受部４２の上部及び下部に位置する前記係合体２１に設けた位置決め突片２３ａ、２３ｂが各々密着嵌合する位置決め機構を構成する上下一対の窪み形態の位置決め受部４３ａ、４３ｂと、前記端面受部４２よりもハウジング本体２の側面前方側に位置する開閉ロックレバー受部４４とを具備している。
【００３１】
開閉ロックレバー受部４４は、前記ロック部３５の上側ロック片３６ａ、下側ロック片３６ｂが没入する上下一対の凹陥部４５ａ、４５ｂを形成する逆Ｌ状の上側突片４６ａ、下側突片４６ｂを前記端面受部４２と一体的に、かつ、ハウジング本体２の側面に突出形成することにより構成している。
【００３２】
次に、本実施例に係る防水カメラハウジング１の作用、効果について、前記位置決め突片２３ａ、２３ｂ及び位置決め受部４３ａ、４３ｂによるハウジング本体２、裏蓋体３の密着結合動作を主にして説明する。
【００３３】
本実施例に係る防水カメラハウジング１において、ハウジング本体２内に図示しないがカメラをセットし、裏蓋体３を前記ヒンジ４を支軸としてハウジング本体２側に回動操作し裏蓋体３を密着結合して、前記Ｏリング６をＯリング受段部７に密着させ、これらの内部にカメラを水密構造で収容する。
【００３４】
この場合において、裏蓋体３がハウジング本体２に密着する直前においては、図４に示すように、前記前記係合体２１に設けた位置決め突片２３ａ、２３ｂが、前記係合受体４１に設けた位置決め受部４３ａ、４３ｂに各々一対一で対向する状態となる。
【００３５】
そして、この状態から裏蓋体３をハウジング本体２側にさらに回動操作することで、位置決め突片２３ａが位置決め受部４３ａに、位置決め突片２３ｂが位置決め受部４３ｂに各々密着嵌合させ、さらに、前記開閉ロックレバー３１を開閉ロックレバー受部４４に嵌着しロック状態とすることで、裏蓋体３をハウジング本体２に対して定位置に位置決めすることができ、ヒンジ４の部分のガタによる影響を回避しつつ、完璧な水密構造を現出する防水カメラハウジング１とすることができる。
【産業上の利用可能性】
【００３６】
本発明は、デジタルカメラ、ビデオカメラ等各種のカメラ用の防水カメラハウジングとして適用でき、また、箱型状の本体と蓋体とをヒンジ結合で連結する構造で、かつ、内部を防水仕様として測定機器等の対象物品を収容する各種防水ケース等に広範に応用可能である。
【図面の簡単な説明】
【００３７】
【図１】本発明の実施例に係る水中カメラハウジングの展開状態の平面図である。
【図２】本実施例に係る水中カメラハウジングの裏蓋体に設けた錠機構部を構成する係合体及び開閉ロックレバーを示す部分拡大平面図である。
【図３】本実施例に係る水中カメラハウジングのハウジング本体に設けた錠機構部を構成する係合受体の部分拡大平面図である。
【図４】本実施例に係る水中カメラハウジングにおけるハウジング本体に対して裏蓋体を密着させる直前の状態を示す部分斜視図である。
【符号の説明】
【００３８】
１    防水カメラハウジング
２    ハウジング本体
３    裏蓋体
４    ヒンジ
５    錠機構部
６    Ｏリング
７    Ｏリング受段部
８    アクセサリーシュー
９    光ファイバー接続口
１０    ハウジング鏡筒部
１１    画像モニタ窓
２１    係合体
２１ａ  上側支持部
２１ｂ  下側支持部
２２    軸体
２３ａ  位置決め突片
２３ｂ  位置決め突片
２４    空間部
３１    開閉ロックレバー
３２    基部
３３    開閉ロック体
３３ａ  端部ロック突片
３４    ロック体突片
３５    ロック部
３６ａ  上側ロック片
３６ｂ  下側ロック片
３６ｃ  上側操作片
３６ｄ  下側操作片
４１    係合受体
４２    端面受部
４３ａ  位置決め受部
４３ｂ  位置決め受部
４４    開閉ロックレバー受部
４５ａ  凹陥部
４５ｂ  陥部
４６ａ  上側突片
４６ｂ  下側突片
【図１】
2010008720.tif 000003
【図２】
2010008720.tif 000004
【図３】
2010008720.tif 000005
【図４】
2010008720.tif 000006
【手続補正書】
【提出日】平成20年7月3日(2008.7.3)
【手続補正１】
【補正対象書類名】図面
【補正対象項目名】全図
【補正方法】変更
【補正の内容】
【図１】
2010008720.tif 000007
【図２】
2010008720.tif 000008
【図３】
2010008720.tif 000009
【図４】
2010008720.tif 000010